(57)【要約】   【課題】ミシンの前に居なくてもミシンの状態を把握できるミシンを提供する。  【解決手段】  操作者は表示装置１に表示された模様からタッチパネル２を操作し、模様を選択し、ミシンを起動・停止させるスタートストップスイッチを操作することにより刺繍を始め、ＣＰＵ１０はセンサ３の検出信号があるか否かチェックし、センサ３の信号がある場合、表示装置１の稼働を維持し、操作者がミシンを離れると、センサ３の信号がなくなり、ＣＰＵ１０はＬＥＤ表示装置４を稼働し、進行状況を表示し、これにより、離れた場所からＬＥＤ表示装置４の状態は確認できるので、操作者は次の糸交換までどれくらいかかるのかなど、ミシンの状態を認識することができる。【選択図】  図１
2016195640.tif 000002
【特許請求の範囲】
【請求項１】
ミシンの状態を表示する表示装置と、
ミシンの周辺の設定された範囲に人が居るか否か検出するセンサと、
前記設定された範囲外に居る人にミシンの状態を告知する告知装置と、
前記センサが設定された範囲に人が居ないことを検出した時に、前記告知装置を稼働させる稼働装置と、
を備えたことを特徴とするミシン。
【請求項２】
前記告知装置が視覚的に告知する発光装置を有する、
請求項1のミシン
【請求項３】
前記告知装置が聴覚的に告知する音声発生装置を有する、
請求項1のミシン。
【発明の詳細な説明】
【技術分野】
【０００１】
この発明は、ミシンに関する。
【背景技術】
【０００２】
近年ミシンの多機能化が進み、刺繍などが可能な機種も多く、また刺繍範囲の拡大化、針数の増大、などから刺繍を完成させるには数時間かかるものもある。また多色化に伴い上糸の交換も増えてきており、この交換時には、ミシンが自動的に停止し、糸交換を促す表示が表示装置になされる機能などを備えている機種もある。  
【先行技術文献】
【特許文献】
【０００３】
【特許文献１】特開平０２−０３４１９７
【特許文献２】特開平１０−３２８４５５
【発明の概要】
【発明が解決しようとする課題】
【０００４】
そのため従来のミシンにおいて、操作者は縫い完成までミシンの前に居る必要があり、表示装置により刺繍などの縫い状態の監視を行い、また上糸の交換などを行う必要があり、操作者の負担が大きい問題があった。
本発明は上記従来技術の問題を解決することを目的とする。
【課題を解決するための手段】
【０００５】
上記目的を達成するために、本発明のミシンは、ミシンの状態を表示する表示装置と、ミシンの周辺の設定された範囲に人が居るか否か検出するセンサと、前記設定された範囲外に居る人にミシンの状態を告知する告知装置と、前記センサが設定された範囲に人が居ないことを検出した時に、前記告知装置を稼働させる稼働装置と、を備えたことを特徴とする。前記告知装置は視覚的に告知する表示装置などであってもよいし、或いは聴覚的に告知する音声発生装置などであっても良い。
【発明の効果】
【０００６】
本発明のミシンによれば、ミシンの周辺の設定された範囲に操作者など人が居ない時には、告知装置を稼働してミシンの状態を告知することが出来るため、操作者がミシンから離れていても、ミシンの状態を認識することが可能になる等      の効果がある。
【図面の簡単な説明】
【０００７】
【図１】本発明のミシンの一実施形態を示す斜視図。
【図２】本発明のミシンの一実施形態を示すブロック図。
【図３】本発明のミシンの一実施形態のセンサ感知領域の説明図。
【図４】本発明のミシンの一実施形態を示す部分図。
【図５】本発明のミシンの一実施形態を示す部分図。
【図６】本発明のミシンの一実施形態の動作を示すフローチャート図。
【発明を実施するための形態】
【０００８】
以下本発明の実施の形態を図面に基づいて説明する。
図１において、ミシンＡはその前面側に表示装置１を備えており、この表示装置１に縫いの進行状況など種々の情報を表示するように構成されている。表示装置１は液晶表示装置であり、この実施形態ではタッチパネル２を兼ねており、このタッチパネル２により、縫いモードの選択、縫い模様の選択など種々の操作指令などを実行できるようになっている。
また、ミシンＡの前面側にはセンサ３が設けられており、ミシンＡの前面側に人が居るか否かを検知するように構成されている。
更にミシンＡのアーム前面側には横長の棒状のＬＥＤ表示装置４が設けられており、このＬＥＤ表示装置４は複数色の色表示ができるようになっている。
【０００９】
図２にミシンＡのブロック図を示す。ミシンＡは全体的にＣＰＵ１０により制御されており、ミシン縫い機構５１と刺繍縫い機構５２を備え、ＣＰＵ１０からの指令により所定の縫い動作を行うように構成されている。
前記表示装置１はＣＰＵ１０からの信号に基づいて種々の表示を実行し、またＣＰＵ１０はタッチパネル２からの指令により種々の制御を行うようになっている。
センサ３はその感知領域に人が居ることを検出して、検出信号をＣＰＵ１０に送るようになっている。
ＬＥＤ表示装置４は前記センサ３が感知領域に人がいないことを検出した時にＣＰＵ１０の指令により稼働状態となり、種々の表示を行うようになっている。
更にこの実施形態においては、音声告知装置５を備えており、同様にセンサ３が感知領域に人がいないことを検出した時に、ＣＰＵ１０から信号により稼働され、所定の情報を音声発信するようになっている。
【００１０】
センサ３は、人感センサであり、所定温度の物体の動きを検出して人の検知を行うようになっている。
センサ３はミシンＡの前側のアーム部の下部に設けられており、図３に示すようにそのセンサ感知範囲６０は、ミシンＡの前面側にあり、この範囲に人が居るか否かを検出するように構成されている。
センサ感知範囲６０は、操作者が表示装置１を視認できる表示装置視認範囲６１とほぼ同じに設定してある。これにより、操作者が表示装置１を視認できる範囲外に出た時に、センサ３により人が居ないという検知が確実に行える。
【００１１】
ＬＥＤ表示装置４は、図４及び図５に示すようにミシンＡのアーム部に横方向に棒状に設置されており、複数のＬＥＤ素子を有している。この実施形態では図４に示すように、赤色表示４０と緑色表示４１表示が可能になっており、赤色表示４０と緑色表示４１の長さ割合を変化させることにより、縫製の進行状況などを表すことができるようになっている。また、図５に示すようにＬＥＤ表示装置４全体を点滅させる、など種々の表示が可能になっている。
【００１２】
図３に示すようにＬＥＤ表示装置４のＬＥＤ表示装置視認範囲６５は表示装置１の表示装置視認範囲６１よりも広くなっており、センサ感知範囲６０の外に操作者がいても、ＬＥＤ表示装置４を視認できるようになっている。この構成により、操作者はセンサ感知範囲６０内に居なくても、ＬＥＤ表示装置４を見てミシンＡの状態を把握できる。
ＬＥＤ表示装置４のＬＥＤ表示装置視認範囲６５は、ＬＥＤ表示装置４の輝度の選択あるいはＬＥＤ表示装置４の位置の選択などにより必要に応じて拡張或いは縮小が可能である。
【００１３】
音声告知装置５はブザー音、メロディ、人声、等により、ミシンＡの状態を操作者に告知する。音声告知装置５はミシンＡ内部に設けられており、スピーカなどにより音を発生するように構成されている。図３に示すように音声告知装置５の音声告知範囲６６はＬＥＤ表示装置視認範囲６５よりも広くなっており、特にミシンＡの表側だけでなく、裏側にも告知範囲を広げることができる。
【００１４】
表示装置１とＬＥＤ表示装置４（及び音声告知装置５）はこの実施形態においては、選択的に稼働するようになっており、センサ感知範囲６０内に人が居る時は、センサ３により人が検出され、この信号によりＣＰＵ１０は表示装置１を稼働し、ＬＥＤ表示装置４（及び音声告知装置５）を非稼働とするようになっている。一方、センサ３により人が検出されない時には、ＬＥＤ表示装置４（及び音声告知装置５）を稼働し、表示装置１を非稼働とするように構成されている。
なお、センサ３により人が検出されない時に、表示装置１を非稼働とせずに、ＬＥＤ表示装置４（及び音声告知装置５）と共に両方を稼働させるようにしても良い。
【００１５】
ＬＥＤ表示装置４と音声告知装置５は併用しても良いし、どちらか一方のみを用いてもよい。また告知する内容によりＬＥＤ表示装置４と音声告知装置５を使い分けても良い。
また、ＬＥＤ表示装置４の表示方法や音声告知装置５による音の種類などは多種のものが可能であり、またこれらを組み合わせて用いることも種々可能である。例えばミシンがなんらかの理由により停止した場合や下糸や上糸がなくなったり切れたりした場合に音声告知装置５によりブザー音を発すると同時に、ＬＥＤ表示装置４を点滅させることなども可能である。
【００１６】
図６により動作の一例を説明する。
まず、刺繍縫いを行うために、操作者はミシンの前で刺繍を行う模様を選択する。操作者は表示装置１に表示された模様からタッチパネル２を操作し、模様を選択し（ステップＳ１）、ミシンを起動・停止させるスタートストップスイッチを操作することにより刺繍を始める（ステップＳ２）。
ＣＰＵ１０はセンサ３の検出信号があるか否かチェックし、センサ３の信号がある場合、即ちセンサ感知範囲６０に人が居る場合には、表示装置１の稼働を維持する。この時はミシンの状態、例えば、現在縫製している色の進行状態や次の色の上糸の交換まであと何針あるかなどの状態を表示装置１に表示している（ステップＳ４）。
ここで、しばらくは交換までの時間がある等の理由により、操作者がミシンを離れると、センサ３の信号がなくなり、センサ感知範囲６０に人が居ないと判断され、ＣＰＵ１０はＬＥＤ表示装置４を稼働する（ステップＳ４１）。ＬＥＤ表示装置４はカラー表示が可能であるので、図４に示すように現在縫製中の色の進行状況を表示する。
これにより、離れた場所からＬＥＤ表示装置４の状態は確認できるので、操作者は次の糸交換までどれくらいかかるのか認識することができる。前記したようにこの時表示装置１は、無効にしても有効のままでも良い。
次に、現在縫製中の色が縫い終わると、ＬＥＤ表示装置４は点滅などによりその旨の表示を始め、操作者はこの点滅等により、現在の縫製している色が縫い終わったことを認識し、上糸の交換のためにミシンのところへ移動するなどの動作により、人感センサ３がセンサ感知範囲６０に人が居ることを認識すると、ＣＰＵ１０はＬＥＤ表示装置４を無効（消灯）にし（ステップＳ４）、表示装置１に次の色を指示する表示などを行う。
最後の色の縫製が終了した場合、すなわち刺繍が完成した時（ステップＳ５）、センサ感知範囲６０に操作者が居る場合は（ステップＳ６）、表示装置１に終了の表示を行い、センサ感知範囲６０に操作者がいない場合は、ＬＥＤ表示装置４を点滅させる等により終了表示する（ステップＳ７１）。
以上の構成及び作用により、操作者はセンサ感知範囲６０内にいなくてもＬＥＤ表示装置４或いは音声告知装置５によりミシンＡの状態を知ることが可能になる。
【符号の説明】
【００１７】
１：表示装置、２：タッチパネル、３：センサ、４：ＬＥＤ表示装置、５：音声告知装置、４０：赤色表示、４１：緑色表示、５１：ミシン縫い機構、５２：刺繍縫い機構、６０：センサ感知範囲、６１：表示装置視認範囲、６５：ＬＥＤ表示装置視認範囲、６６：音声告知範囲。
【図１】
2016195640.tif 000003
【図２】
2016195640.tif 000004
【図３】
2016195640.tif 000005
【図４】
2016195640.tif 000006
【図５】
2016195640.tif 000007
【図６】
2016195640.tif 000008